(57)【要約】【課題】  打刻者本人を容易に特定でき、別人による不正打刻を抑止することができる出退勤システムを提供すること。【解決手段】  予め複数の利用対象者の顔画像及び個人情報を照合データとして照合データ保持手段１７に保持し、カメラ１２により撮影された打刻者の画像情報と照合データとを照合手段１８で比較し、照合スコアが設定値以上の場合を照合正と判断し、打刻を許可するので、別人による不正打刻を抑止できる。また、照合正と判断されない場合は、複数の照合データを表示して打刻者により選択させ、この選択された照合データも打刻データとして打刻データ保持手段１９に登録するので、照合失敗時における本人確認も確実に行うことができる。【選択図】図１
2006048326.tif 000002
【特許請求の範囲】
【請求項１】
時計手段を有し、利用者の打刻操作により、打刻時点の時刻を保存する出退勤管理システムであって、
予め複数の利用者の顔画像情報及び個人情報を照合データとして保持した照合データ保持手段と、
前記打刻者の顔を撮影するカメラと、
このカメラにより撮影された画像情報と前記照合データ保持手段に保持された照合データとを照合し、照合スコアが設定値以上の場合を照合正と判断する照合手段と、
この照合手段により照合正と判断されない場合は、前記照合データ保持手段に保持された照合データを、前記打刻者による選択操作可能な状態で表示するユーザ選択手段と、
前記照合手段により照合正と判断された場合、またはユーザ選択手段により選択操作された場合、前記打刻を可能とし、打刻された時刻データを、照合正と判断された照合データまたはユーザ選択手段により選択された照合データとともに打刻データとして登録する打刻登録手段と、
を備えたことを特徴とする出退勤管理システム。
【請求項２】
ユーザ選択手段は、照合手段により照合正と判断されない場合、照合手段に設定された照合正判断用の閾値より、一段低い照合スコアを有するグループの照合データを表示し、選択操作がない場合は、順次照合スコアの低いグループの照合データを表示することを特徴とする請求項１に記載の出退勤管理システム。
【請求項３】
ユーザ選択手段は、選択された照合データの顔画像情報を、カメラにより撮影された現在の打刻者の顔画像情報に更新することを特徴とする請求項１または請求項２に記載の出退勤管理システム。
【請求項４】
打刻登録手段は、カメラで撮影した打刻者の顔画像情報を履歴情報として登録する履歴登録機能を有することを特徴とする請求項１乃至請求項３のいずれかに記載の出退勤管理システム。
【請求項５】
登録された履歴情報を検索し、かつ検索された履歴情報を表示する履歴表示ビューワを有することを特徴とする請求項４に記載の出退勤管理システム。
【発明の詳細な説明】
【技術分野】
【０００１】
本発明は、時計手段を有し、利用者の打刻操作により、打刻操作時点の時刻を保存する出退勤管理システムに関する。
【背景技術】
【０００２】
一般に、各種企業や大規模商店などにおいては、従業員の勤務状態を把握するためにタイムカードを用いた出退勤管理システムが用いられている。すなわち、紙製のタイムカードや、ＩＤカード、パスワード入力により、出退時、休憩入／出時、外出／帰社などのタイミング毎に打刻操作を行い、一日における就業時間を記録するようにしている。
【０００３】
このような出退勤管理システムでは、タイムカードや、ＩＤカード、パスワード等が貸し借りできるため、本人以外に打刻されてしまうことがある。例えば、アルバイター同士が仲良くなると、２〜３分遅刻しそうになったとき、携帯電話の普及により別人に打刻を依頼する不正が発生することがあった。このように別人による打刻が行われると、賃金ロスが生じるばかりではなく、モラルが低下するという問題が生じた。
【０００４】
そこで、打刻時に指紋照合などの生態照合により本人認証を行うシステムが提案されている（例えば、特許文献１参照）。指紋などによる生態照合は、本人特定手段として有効であるが、照合率が１００％でないため、照合が行われなかった場合に備え、各種の救済措置を設ける必要があり、その救済方法によっては本人認証を正確に行うことが難しかった。また、指紋が照合されなかった場合に、照合されなかった指紋を見ただけでは、だれの指紋であるかを特定することは難しかった。
【特許文献１】特開２００１−２２９３２８号公報
【発明の開示】
【発明が解決しようとする課題】
【０００５】
このように、従来の出退勤システムでは、本人以外による不正打刻の可能性があり、これを防止するために打刻時に本人認証を行うことも考えられているが、照合失敗時における救済措置が難しく、充分なものではなかった。
【０００６】
本発明の目的は、打刻者本人を容易に特定でき、別人による不正打刻を抑止することができる出退勤システムを提供することにある。
【課題を解決するための手段】
【０００７】
本発明の出退勤管理システムは、時計手段を有し、利用者の打刻操作により、打刻操作時点の時刻を保存する出退勤管理システムであって、予め複数の利用者の顔画像情報及び個人情報を照合情報として保持した照合データ保持手段と、前記打刻者の顔を撮影するカメラと、このカメラにより撮影された画像情報と前記照合データ保持手段に保持された照合データとを照合し、照合スコアが設定値以上の場合を照合正と判断する照合手段と、この照合手段により照合正と判断されない場合は、照合データ保持手段に保持された照合データを、前記打刻者による選択操作可能な状態で表示するユーザ選択手段と、前記照合手段により照合正と判断された場合、またはユーザ選択手段により選択操作された場合、前記打刻を可能とし、打刻された時刻データを、照合正と判断された照合データまたはユーザ選択手段により選択された照合データとともに打刻データとして登録する打刻登録手段とを備えたことを特徴とする。
【０００８】
本発明では、ユーザ選択手段は、照合手段により照合正と判断されない場合、照合手段に設定された照合正判断用の閾値より、一段低い照合スコアを有するグループの照合データを表示し、選択操作がない場合は、順次設定値の低いグループの照合データを表示する。
【０００９】
また、本発明では、ユーザ選択手段は、選択された照合データの顔画像情報を、カメラにより撮影された現在の打刻者の顔画像情報（照合デ−タ）に更新する。
【００１０】
また、本発明では、打刻登録手段は、カメラで撮影した打刻操作者の顔画像情報を履歴顔画像情報として登録する履歴登録機能を有する。
【００１１】
さらに、本発明では、登録された履歴情報を検索し、かつ検索された履歴情報を表示する履歴表示ビューワを有する構成でもよい。
【発明の効果】
【００１２】
本発明によれば、予め複数の利用者の顔画像情報及び個人情報を照合情報として保持し、カメラにより撮影された打刻者の画像情報と照合データとを比較し、照合スコアが設定された閾値以上の場合を照合正と判断し、打刻を許可するので、別人による不正打刻を抑止できる。また、照合正と判断されない場合は、複数の照合データを表示して打刻者により選択させ、この選択された照合データも打刻データとして登録するので、照合失敗時における本人確認も確実に行うことができる。
【発明を実施するための最良の形態】
【００１３】
以下、本発明による出退勤管理システムの一実施の形態について図面を用いて詳細に説明する。
【００１４】
図１は出退勤管理システムの全体構成を示すブロック図である。この出退勤管理システムは、パソコンなどにより構成されるシステム本体１１と、外部機器として、打刻者の顔を撮影するカメラ１２と、時刻計時用の時計手段１３とを有する。なお、時計手段１３としてはシステム本体１１に内蔵されたものを用いてもよい。
【００１５】
システム本体１１は、後述する各種機能を実行する制御部１５と、打刻者との間で各種情報の表示出力及び打刻操作を含む各種入力を行うためのユーザインターフェース１６とを有する。この他に照合データ保持手段１７、照合手段１８、打刻データ保持手段１９を有する。
【００１６】
照合データ保持手段１７は、予め複数の利用者の顔画像データ及び個人データからなる照合データを保持している。照合データは、打刻者（以下、ユーザとして説明する）を特定するためのデータで、上述した予め撮影した顔画像データと、ユーザＩＤや名前などによる個人データとで構成される。
【００１７】
照合手段１８は、カメラ１２により撮影された画像情報と、照合データ保持手段１７に保持された照合データ（顔画像データ）とを比較して照合スコアを算出し、この照合スコアが予め設定された閾値以上の場合を照合正と判断するエンジンである。
【００１８】
前記ユーザインターフェース１６には、後述するユーザ選択時における選択画面が表示される。ユーザ選択とは、照合手段１８による照合時に、照合正と判断されない場合、制御部１５の制御に基づき、照合データ保持手段１７に保持された各ユーザの照合データを選択操作可能な状態で表示し、ユーザ（打刻者）本人に選択させることを言う。すなわち、ユーザインターフェース１６は、照合失敗時において、照合情報を打刻者に選択させるユーザ選択手段としても機能する。
【００１９】
制御部１５は、機能実現手段として、前述した複数のユーザの照合データを照合データ保持手段１７に事前に登録しておく登録手段１５ａと、ユーザインターフェース１６に打刻画面を表示させて打刻を許容すると共に打刻情報を登録させる打刻登録手段１５ｂと、保守手段１５ｃとを有する。
【００２０】
打刻登録手段１５ｂは、照合手段１８により照合正と判断された場合、またはユーザ選択手段により選択操作された場合、ユーザインターフェース１６に打刻画面を表示させて打刻を可能とする。また、打刻された時刻データを、照合正と判断された照合データまたはユーザ選択手段により選択された照合データとともに、打刻データとして打刻データ保持手段１９に登録する。すなわち、打刻データは、ユーザが打刻した時点の時刻データ（出勤時刻、退出時刻、休憩入／出時刻等）のほかに、打刻したユーザの個人情報（名前、ＩＤ等）を含む。
【００２１】
次に、動作説明を図２のフローチャート及び図３の画面遷移図を用いて行う。
【００２２】
先ず、予めシステムを利用するユーザの顔画像データ及びユーザＩＤなどの個人データを照合データとして、照合データ保持手段１７に登録しておく。ユーザが打刻を行う場合、ユーザはシステムに設置されているカメラ１２の前で顔を撮影する。このため、システム本体１１には顔画像のキャプチャが入力される（２０１）。このとき、ユーザインターフェース１６には、図３（ａ）で示す画面が表示される。なお、図３（ａ）及び後述する（ｃ）において、顔画像中の円形の太線は撮像枠を表している。
【００２３】
システム本体１１では、照合手段１８により、カメラ１２で撮影された顔画像（動画を含む）を用いて顔照合を行う（２０２）。この顔照合は、顔の特徴から個人を識別し、照合データ保持手段１７に登録されているユーザの中から１ユーザの特定を行う（２０３，２０４）。すなわち、カメラで撮影した顔画像との照合スコアが、予め設定された閾値より高い照合データを照合データ保持手段１７から検索し、最も高い照合スコアのユーザを特定する。
【００２４】
ユーザが特定された場合（２０４：Ｙ）、すなわち照合正の場合、ユーザインターフェース１６の画面では、図３（ａ）で示すコメント欄１６ａに「照合できました」と表示され、打刻が可能となる（２０６）。
【００２５】
これに対し、ユーザが特定されない場合（２０４：Ｎ）、たとえば、照合データの撮影時からの経過年数が長かったり、撮影環境が悪かったりして、予め設定した閾値以上の照合スコアを有する照合データを抽出できなかった場合（照合失敗時）は、ユーザ選択となる（２０５）。このユーザ選択時、照合データ保持手段１７に保持された各ユーザの照合データを、ユーザ（打刻者）に選択させるべく、図３（ｂ）で示すように、ユーザインターフェース１６に選択操作可能な状態で表示する。
【００２６】
このユーザ選択ステップ（２０５）を図４により詳細に説明する。
【００２７】
登録ユーザかどうか（ユーザが特定されたかどうか）の判断（２０４）は、予め設定された照合時間内に照合ＯＫ（照合正）になったか、によって最終的には判断する（２０４ａ，２０４ｂ）。照合時間が経過しても照合ＯＫとならず、ユーザが特定されなかった場合（２０４ｂ：Ｙ）、ユーザ選択ステップ（２０５）では、照合データ保持手段１７に保持された各ユーザの照合データを候補表示選択画面として、図３（ｂ）で示すように、ユーザインターフェース１６に表示する（２０５ａ）。
【００２８】
ユーザは、上述のように所定の照合時間が経過しても顔照合ができない場合（照合失敗時）は、ユーザインターフェース１６上に候補者の照合データ（図３（ｂ）の例ではユーザの名前）が表示されるので、自己の照合データを選択する。システム上は選択画面の表示（２０５ａ）後、選択待ちの状態になり、選択が行われれば（２０５ｂ）次のステップに進む。候補者が該当しない場合は、選択が行われるまで順次次候補を表示し、最終的には、照合データ保持手段１７に保持されたすべての照合データを表示することもある。
【００２９】
候補者の選択が行われた場合、この候補者の照合データの顔登録情報を、カメラ１２により撮影された現在のユーザの顔画像情報に更新する（２０５ｃ）。すなわち、照合データの顔情報が古い場合、現在の顔情報に更新することにより、以後の照合率が高まる。
【００３０】
ただし、この更新は必ずしも行う必要はなく、システム導入から日の浅い場合などでは、この更新を省略してもよい。
【００３１】
また、照合スコアがある一定の値より低い場合は、明らかに本人ではないという判断に基づき更新しないようにしても良い
このようにして、ユーザの選択が行われると、図３（ｂ）のコメント欄１６ａに「選択されました」と表示され、打刻が可能となる（２０６）。
【００３２】
このように、照合手段１８により照合正と判断された場合、またはユーザ選択手段により選択操作された場合、打刻が可能（２０６）となるので、ユーザが、例えば、出勤ボタンを操作することにより打刻が行われ（２０７）、ユーザインターフェース１６の画面は、図３（ｃ）に変化する。打刻された時刻データは、照合正と判断された照合データまたはユーザ選択手段により選択された照合データと共に、打刻データとして打刻データ保持手段１９に登録する（２０８）。このため、登録された打刻データから、誰が何時出勤（又は退勤、休憩入、休憩出等）したかの情報を把握することができる。
【００３３】
上記実施の形態では、照合失敗時にユーザ選択を行う場合、照合データ保持手段１７に保持された照合データを、順次そのまま表示するようにしていたが、以下のように順位付を行うとユーザ選択を効率的に行うことができる。
【００３４】
例えば、照合手段１８において、照合正と判断する照合スコアの閾値を９０と設定していた場合、照合データ撮影時からの経過年数が長かったり、打刻者をカメラ１２で撮影するときに照明などの撮影環境がたまたま悪かった場合など、予め設定した９０以上の照合スコアを有する照合データを抽出できないことがある。この場合、照合データ保持手段１７に保持された照合データをユーザインターフェース１６に表示させるが、表示順位として、照合スコアが一段低いグループ、例えば、照合スコア８０〜８９のグループの照合データを表示する。表示形態は図３（ｂ）と同様である。
【００３５】
通常は、この一段低い照合スコアの照合データを表示すると、そのグループ内には打刻者本人の照合データが含まれるので、ユーザは自己の照合データを選択する。しかし、カメラ１２による撮影時の環境が極めて悪い場合、例えば、照明が故障していたり、カメラ１２に不具合が生じていた場合などは、上述した一段低いレベルのグループに打刻者の照合データが含まれないことがある。この場合は、順次照合スコアを下げ、その表示スコアに含まれる照合データを表示する。なお、カメラ１２による打刻者の撮影画像が顔と認識できないような場合は、照合データ保持手段１７に保持されたすべてを表示し、その中から選択する。
【００３６】
すなわち、ユーザ選択手段は、照合手段１８により照合正と判断されない場合、照合手段１８に設定された照合正判断用の閾値より一段低い照合スコアを有するグループの照合データを表示し、選択操作がない場合は、順次照合スコアの低いグループの照合データを表示する。
【００３７】
このように、ユーザ選択を行う場合、表示スコアが閾値に近いものから順次表示するようにしたので、打刻者本人を早期に選択することができ、効率的となる。
【００３８】
次に、図５及び図６で示す実施の形態を説明する。
【００３９】
この実施の形態は、制御部１５の打刻登録手段１５ｂに履歴登録機能を持たせ、ユーザによって打刻が行われたとき、カメラ１２で撮影したユーザ（打刻者）の顔画像（動画を含む）情報を履歴情報として履歴顔画像保持手段２１に登録することを特徴とする。すなわち、図６で示すように、ユーザによる打刻（２０７）が行われると、打刻情報の登録（２０８）が行われるが、このとき同時に、カメラ１２で撮影したユーザの顔画像情報を履歴情報として履歴顔画像保持手段２１に登録し、保存する。
【００４０】
履歴として保存するタイミングは、打刻時であるから、出勤、退勤、休憩入／出、外出、帰社などのタイミングである。
【００４１】
履歴の保存場所としては、タイムレコーダ装置（システム本体）１１内の記憶装置２１のほか、図示しない補助記憶装置、リムーバブル装置、さらにはネットワーク通信により接続されたサーバ装置内の記憶装置、補助記憶装置、リムーバブル装置のいずれでもよい。
【００４２】
保存期間は、記憶領域のサイズや運用により左右されるので、保存期間を保守設定ツール（保守手段）１５ｃで設定したり、保存領域が一杯になりそうになった場合に、管理者に通知するようにしてもよい。
【００４３】
さらに、保存する顔情報の履歴の付帯情報として照合スコアを同時に記憶するようにしてもよい。このように照合スコアを記憶することにより、後で、例えば、表示スコアがある一定の低い顔画像を検索することができる。
【００４４】
この実施の形態では、さらに表示ビューワ２２を設けている。この表示ビューワ２２は、登録された履歴情報を検索し、かつ検索された履歴情報を表示したり、必要に応じて修正するツールである。
【００４５】
この表示ビューワ２２は、履歴顔情報保持手段２１及び打刻データ保持手段１９とそれぞれ接続しており、管理者が間違いや不正を発見するために、後で情報を確認する際に用いる。このため、ユーザ単位の検索や、時間指定検索、スコアが低いユーザの検索、照合失敗によりユーザ選択して打刻した場合の検索、履歴として保存された顔画像の閲覧をそれぞれ行うことができる。また、履歴顔画像を参照することにより、不正打刻データの修正や、間違った打刻データの修正も行うことができる。
【００４６】
このように、打刻時の顔画像を履歴として保存することで、他人のタイムカードを打刻する不正行為を有効に抑止できる。また、ユーザ選択時に自分の個人情報（名前や従業員番号、ＩＤ等）を選択して打刻するが、この選択を誤って（例えば、隣に表示されたデータを誤って選択した場合等）打刻した場合も、履歴を参照することにより、顔画像情報との違いから誤りを容易に検出でき、正しく修正することができる。
【図面の簡単な説明】
【００４７】
【図１】本発明による出退勤管理システムの一実施の形態を示すブロック図である。
【図２】同上一実施の形態の動作を説明するフローチャートである。
【図３】同上一実施の形態におけるユーザ選択時の画面遷移図である。
【図４】同上一実施の形態におけるユーザ選択動作を詳細に説明する部分フローチャートである。
【図５】本発明の他の実施の形態を示すブロック図である。
【図６】同上他の実施の形態の動作を説明するフローチャートである。
【符号の説明】
【００４８】
１２    カメラ
１３    時計手段
１５ｂ    打刻登録手段
１６    ユーザ選択手段としても機能するユーザインターフェース
１７    照合データ保持手段
１８    照合手段
１９    打刻データ保持手段
２１    履歴顔画像保持手段
２２    履歴表示ビューワ
【図１】
2006048326.tif 000003
【図２】
2006048326.tif 000004
【図３】
2006048326.tif 000005
【図４】
2006048326.tif 000006
【図５】
2006048326.tif 000007
【図６】
2006048326.tif 000008